(57)【要約】【課題】      底部の強度を維持したまま異音で魚が弱らないようにした釣り用引き舟を提供することである。【解決手段】  釣り用引き舟の容器本体１は合成樹脂材等で略引き舟状に容器本体下側２と容器本体下側２の上に固定された容器本体上側３とで形成され、容器本体下側２の前壁と側壁に水取り入れ口２ａ、２ｂが穿設されて流水が流入される。  容器本体下側２の底部２ｃの内側面には騒音防止部材４が添設されて接着剤等で取り付けられている。  騒音防止部材４は底部２ｃを形成する材料より柔らかいゴムや合成樹脂で平板状に形成されている。【選択図】        図３
2009131227.tif 000002
【特許請求の範囲】
【請求項１】
底部を形成する材料より柔らかいゴムまたは合成樹脂の騒音防止部材を底部に取り付けたことを特徴とする釣り用引き舟。
【請求項２】
前記騒音防止部材を底部に添って添設したことを特徴とする請求項１記載の釣り用引き舟。
【請求項３】
前記騒音防止部材を底部の内側面に取り付けたことを特徴とする請求項１または２記載の釣り用引き舟。
【発明の詳細な説明】
【技術分野】
【０００１】
本発明は、魚を入れて水の中につけておく釣り用引き舟に関する。
【背景技術】
【０００２】
従来から鮎釣りなどおとりとして生きた魚を使用する場合に引き舟やおとり缶が使われ、また、釣った魚を生かしておくために魚を入れて水の中につけておくびくなどの釣り用引き舟が使用されている。
このような釣り用引き舟は、特許文献１のように容器内が空洞になって魚を容易に収納できるように魚の投入口を有する蓋体が取り付けられている。
特許文献１では底部の外側にバランス部材が取り付けられているが、通常は容器底部の素材が露出した状態になっている。
特許文献１の引き舟を水量の少ない川で引いて移動すると舟底が川底の石や岩に接触してバランス部材が石や岩に擦れて移動することになる。
バランス部材は硬質または軟質の金属材料で形成されているので、硬質または軟質の金属材料なりの音を発生する。
バランス部材のない引き舟では一般に合成樹脂の底部の素材が川底の石や岩に擦れたり接触して擦れ音や衝撃音を発生して中の魚を驚かせて魚が動き回ることで魚を弱らせることになる。
特許文献２では底部を軟質合成樹脂で形成しているから、底部が川底から離れた水面に浮かんでいる状態では破損することはないが、底部が川底の石や岩に擦れたり接触すると、擦れ音や衝撃音が発生してこの音が吸収される利点はあるが、底部が破損し易い欠点がある。
【特許文献１】実開昭６３−１２２０７３号公報
【特許文献２】実開平１−１１６０５３号公報
【発明の開示】
【発明が解決しようとする課題】
【０００３】
解決しようとする問題点は、引き舟を水量の少ない川で引いて移動すると舟底が川底の石や岩に接触して擦れ音や衝撃音を発生して中の魚を驚かせて魚が動き回ることで魚を弱らせることになることである。
【０００４】
本発明の目的は前記欠点に鑑み、底部の強度を維持したまま異音で魚が弱らないようにした釣り用引き舟を提供することである。
【課題を解決するための手段】
【０００５】
本発明の請求項１は、底部を形成する材料より柔らかいゴムまたは合成樹脂の騒音防止部材を底部に取り付けたことを要旨とするものである。
本発明の請求項２は、前記騒音防止部材を底部に添って添設したことを要旨とするものである。
本発明の請求項３は、前記騒音防止部材を底部の内側面に取り付けたことを要旨とするものである。
【発明の効果】
【０００６】
本発明の請求項により、底部の内側面に取り付けられた騒音防止部材で、擦れ音や衝撃音が吸収されて容器内の魚を驚かせもことが少ないので、魚が動き回ることによる魚を弱らせることがなくなる。
【発明を実施するための最良の形態】
【０００７】
釣り用引き舟の容器本体１は合成樹脂材等で略引き舟状に容器本体下側２と容器本体下側２の上に固定された容器本体上側３とで形成され、容器本体下側２の前壁と側壁に水取り入れ口２ａ、２ｂが穿設されて流水が流入される。
容器本体下側２の底部２ｃの内側面には騒音防止部材４が添設されて接着剤等で取り付けられている。
騒音防止部材４は底部２ｃを形成する材料より柔らかいゴムや合成樹脂で平板状に形成されている。
【実施例１】
【０００８】
以下、図示の一実施例によって本発明を説明すると、図１は釣り用引き舟の平面図、図２は釣り用引き舟の蓋体の内側を示す断面正面図、図３は釣り用引き舟の要部断面側面図、図４は釣人が釣り用引き舟の紐を腰に係止して釣り中の正面図である。
【０００９】
釣り用引き舟の容器本体１は合成樹脂材等で略引き舟状に容器本体下側２と容器本体下側２の上に固定された容器本体上側３とで形成され、容器本体下側２の前壁と側壁に水取り入れ口２ａ、２ｂが穿設されて流水が流入される。
容器本体下側２の底部２ｃの内側面には騒音防止部材４が添設されて接着剤等で取り付けられている。
騒音防止部材４は底部２ｃを形成する材料より柔らかいゴムや合成樹脂で平板状に形成されている。
流入された水は容器本体上側３に形成された通路３ａを通して容器の後部に排出されている。
容器本体下側２と容器本体上側３の両側と前側には発泡樹脂等の浮力材１０が入れられて水に浮かぶ構成となっている。
容器本体上側３には魚を取り出す開口部３ｂが開口されて閉じ蓋５が蝶番６、６で取り付けられている。
蝶番６は図２のように容器本体上側３側に固定された板側に形成された筒部６ａと閉じ蓋５側に固定された板側に形成された筒部６ｂの対向する面に凹凸が形成されて発条１１で付勢されている。
【００１０】
閉じ蓋５には魚を投入する投入口５ａが開口されて投入口５ａには内側から塞ぐように閉じ蓋５の内側に蓋体７、７が内側に開閉出来るように蝶番１２、１２で取り付けられて発条１３、１３で閉塞付勢されている。
容器本体下側２と容器本体上側３の両側の前側の透孔には紐１４、１４′が挿通されて取り手１５が取り付けられ、取り手１５には適宜長さの紐１６の一端が取り付けられて紐１６の他方の端にはベルトの係止具１７が取り付けられ、係止具１７は釣人の腰のベルト１８等に係止されて流れに引き流して使用される。
【００１１】
釣り用引き舟が使用される時は、川の水量が多い時には容器本体１を水に浸けると、容器本体上側３と閉じ蓋５との上を水が流れ、流れた水が投入口５ａの上をかすめ、流水の一部は蓋体７、７の複数の通水孔７ａ、７ａを通して容器本体１内に流れ、通路３ａを通して容器の後部に排出される。
投入口５ａの上をかすめる流水が複数の通水孔７ａ、７ａを通して容器本体１内に流れれば、水流の水圧で蓋体７、７が内側に押されて開くことがない。
川の水量が少ない時には図４のように容器本体１を水に浸けると、底部２ｃが川底の石や岩に接触して擦れ音や衝撃音を発生するが、底部２ｃの内側面に騒音防止部材４が取り付けられているので、騒音防止部材４で擦れ音や衝撃音が吸収される。
【００１２】
前記のように釣り用引き舟が構成されると、底部２ｃの内側面に取り付けられた騒音防止部材４で、擦れ音や衝撃音が吸収されて容器内の魚を驚かせもことが少ないので、魚が動き回ることによる魚を弱らせることがなくなる。
【００１３】
前記説明では、底部２ｃの内側面に騒音防止部材４を取り付けたが、底部２ｃの外側面に取り付けてもよい。
【産業上の利用可能性】
【００１４】
本発明は釣り用引き舟全般に利用できる。
【図面の簡単な説明】
【００１５】
【図１】釣り用引き舟の平面図である。
【図２】釣り用引き舟の蓋体の内側を示す断面正面図である。
【図３】釣り用引き舟の要部断面側面図である。
【図４】釣人が釣り用引き舟の紐を腰に係止して釣り中の正面図である。
【符号の説明】
【００１６】
２ｃ  底部
４  騒音防止部材
【図１】
2009131227.tif 000003
【図２】
2009131227.tif 000004
【図３】
2009131227.tif 000005
【図４】
2009131227.tif 000006